(57)【特許請求の範囲】
【請求項１】
支持体に固定され、環境温度の昇温に応じて軸方向に伸張するロッドを備えたサーモスタットと、
上記支持体に、上記ロッドの伸張方向と平行な状態で回転自在に支持された調整軸と、
この調整軸に、相対回転不能かつ軸方向へは移動可能な状態で同軸的に装着され、軸回りに螺旋状に形成されたカム面を有し、かつ被作動部材に当接し、軸方向への移動により上記被作動部材を作動させる円筒状のカム体と、
このカム体を上記調整軸に沿って上記ロッドの縮小方向に付勢するカム体付勢部材と、
上記ロッドの伸張時に該ロッドとともに移動するよう上記サーモスタットに設けられ、この移動時に、上記カム体のカム面との間隔である調整代を経てカム面に当接し、さらにカム体を調整軸に沿って移動させる駆動部材とを具備し、
上記カム体が多くとも１回転する間に、上記調整代が最小から最大に可変されることを特徴とするサーモスタットの作動温度調整機構。
【請求項２】
前記カム体の外周面は小径部と大径部の２つの外径を有し、小径部から大径部への移行部は漸次拡径する斜面に形成され、
前記被作動部材は、上記カム体の小径部か大径部のいずれかに当接し、上記カム体の往復動に伴って進退２位置を往復するよう作動することを特徴とする請求項１に記載のサーモスタットの作動温度調整機構。
【発明の詳細な説明】
【０００１】
【発明が属する技術分野】
本発明は、例えば、温室やビニールハウスあるいは一般的な建物における換気口や窓を室温に応じて自動的に開ける装置等に適用されるサーモスタットの作動温度調整機構に係り、特にサーモスタットの作動温度を、簡便に、かつ高精度で設定することができるようにする技術に関する。
【０００２】
【従来の技術】
空気の温度を感知するサーモスタットを利用し、設定温度に達したら窓を開けて室温を制御するといった類の技術は、種々提案されている。例えば実用新案登録第２５０９０３５号は、昇温に伴って伸びるロッドを備えたサーモスタット（感温作動体）を用い、このサーモスタットのロッドが伸びると換気口を塞いでいる蓋部を押して換気口が開くようにしたものである。この場合、蓋部にはサーモスタットのロッドの先端に突き当たるように調整ねじが螺合され、この調整ねじとロッドとの間隔が作動温度の調整代となっている。この作動温度調整機構によると、調整ねじをロッドに向かってねじ込むと調整代が短くなり、昇温に伴って伸びるロッドが調整ねじに早く当たるので比較的低温で蓋部が開く。一方、調整ねじをロッドに対して後退させると調整代が長くなり、ロッドは比較的高温の段階で調整ねじに当たりそこから蓋部が開く。このように、調整ねじを回転させることによってサーモスタットの作動温度が調整されるようになされている。
【０００３】
【発明が解決しようとする課題】
ところが上記従来の作動温度調整機構では、調整ねじを最大ストローク進退させるには、ねじのピッチにもよるが、調整ねじを何回も回転させることになるので、次のような問題をかかえている。すなわち、設定温度を僅かに変更する際にもそれに応じて調整ねじを大きく、あるいは何回も回転させることが強いられ、このため、手間がかかり非効率的である。この問題は、調整ねじを最大ストローク伸ばすかあるいは後退させる際に特に顕著に生じる。また、調整ねじの１回の回転角度で設定温度を定めることができないので、調整ねじを操作するダイアルに目盛りを付すなど設定温度を容易に確認する手段を採ることが困難である。設定温度は、調整ねじのねじ込み量を指標とすることはできるが、調整ねじのストロークはダイアルの回転距離に比べるときわめて短く、精度は低いものとなる。
本発明はこのような事情に鑑みてなされたものであり、サーモスタットの作動温度を、簡便に、かつ高精度で設定することができるサーモスタットの作動温度調整機構を提供することを目的としている。
【０００４】
【課題を解決するための手段】
本発明のサーモスタットの作動温度調整機構は、支持体に固定され、環境温度の昇温に応じて軸方向に伸張するロッドを備えたサーモスタットと、支持体に、サーモスタットのロッドの伸張方向と平行な状態で回転自在に支持された調整軸と、この調整軸に、相対回転不能かつ軸方向へは移動可能な状態で同軸的に装着され、軸回りに螺旋状に形成されたカム面を有し、かつ被作動部材に当接し、軸方向への移動により上記被作動部材を作動させる円筒状のカム体と、このカム体を調整軸に沿ってロッドの縮小方向に付勢するカム体付勢部材と、ロッドの伸張時に該ロッドとともに移動するようサーモスタットに設けられ、この移動時に、カム体のカム面との間隔である調整代を経てカム面に当接し、さらにカム体を調整軸に沿って移動させる駆動部材とを具備し、さらに、カム体が多くとも１回転する間に、上記調整代が最少から最大に可変されることを特徴としている。
【０００５】
上記構成からなる本発明のサーモスタットの作動温度調整機構の基本動作を説明する。まず、駆動部材とカム体のカム面とが調整代を隔てて離間した状態が通常の状態である。この通常状態から、環境温度が上昇してサーモスタットのロッドが伸びると、駆動部材が調整代を経てカム面に当接し、ここからさらに昇温してロッドが伸びると、カム体は駆動部材に押され調整軸に沿ってロッドの伸張方向に移動する。また、この状態から環境温度が降下しサーモスタットのロッドが縮小すると、カム体はカム体付勢部材によって元の位置に戻される。このカム体のロッドに伴う進出が、本発明におけるサーモスタットの作動を意味する。カム体は、例えば換気口や窓を開けるための操作子として利用される。
【０００６】
さて、本発明のサーモスタットの作動温度調整機構にあっては、調整軸を回転させてサーモスタットの作動温度を調整する。調整軸を軸回りに回転させると、カム体もこれと一体に回転し、その回転途中においてはカム面と駆動部材との間隔である調整代が漸次変動する、すなわち近付いたり遠ざかったりする。したがって、カム面が駆動部材に近付く方向に調整軸を回転させれば駆動部材がカム面に早く当接することになり、比較的低温でサーモスタットが作動する。一方、カム面が駆動部材から遠ざかる方向に調整軸を回転させれば調整代が長くなり、比較的高温の段階でサーモスタットが作動する。ここで、調整代は、カム体が多くとも１回転する間に最小から最大に可変するよう構成されていることから、作動温度の調整は、調整軸１回転の範囲で全域にわたってなされる。したがって、サーモスタットの作動温度を、従来のように調整ねじを何回も回転させるといった手間を要することなく簡便に設定することができる。また、調整軸の１回転の範囲内で作動温度の全域がカバーされるので、作動温度を高精度で設定することができる。
【０００７】
本発明においては、カム体の外周面が小径部と大径部の２つの外径を有し、さらに小径部から大径部への移行部が漸次拡径する斜面に形成され、前記被作動部材は、上記カム体の小径部か大径部のいずれかに当接し、上記カム体の往復動に伴って進退２位置を往復するよう作動することを好ましい形態としている。この形態によれば、カム体の移動方向に対して略直交する方向に移動自在で、常にカム体の外周面に当接するように付勢された被作動部材を設け、この被作動部材をカム体の進退に伴って作動させることができる。被作動部材の具体例としては、例えば窓をロックしているロックピンを外す作動棒や、窓開閉用のマイクロスイッチのレバー等が挙げられる。このような被作動部材は、主にカム体の小径部か大径部のいずれかに当接（カム体が移動中は摺接することになる）している状態となり、よって被作動部材はカム体の往復動に伴って進退２位置を往復するよう作動する。例えば、通常状態では被作動部材は小径部に当接しており、昇温に伴ってカム体が移動すると、被作動部材に移行部を経て大径部が摺接していくことにより被作動部材が進出し、降温すると元に戻るといった作動形態を採ることができる。この場合、被作動部材が大径部に当接した時点での温度が、サーモスタットの作動温度となる。また、カム体の小径部から大径部への移行部が急激に径が変わる段差ではなく斜面に形成されているので、その斜面を被作動部材が摺接することによってカム体の移動による被作動部材の往復動作が可能となり、かつスムーズになされる。
【０００８】
本発明に係るカム体のカム面は、サーモスタットのロッドに伴って移動する駆動部材に対向しており、カム体が回転することにより、そのカム形状に応じて駆動部材との間隔である調整代が変動する。カム面の形状は、カム体の軸回りに螺旋状に形成された斜面カムであり、なだらかに連続する面や階段状に段差が形成された面とされる。
【０００９】
本発明では、調整軸の端部に操作用のダイアルを設けるとともに、支持体側にダイアルの回転角度に応じた温度目盛りを付し、温度目盛りを指標にしてダイアルを回転させてサーモスタットの作動温度を設定する構成を採ると好ましい。この場合、温度目盛りは、温度によって移動する駆動部材の位置と、カム体の回転角度に伴う調整代（カム体のカム面から駆動部材までの間隔）の変動距離との関係から予め把握したデータに基づき定められる。
【００１０】
また、調整軸は、一定以上の操作力をかけた際に回転させることができるようになっていることが、不用意に回転し設定温度が変わってしまうおそれが防がれるので好ましい。そのための手段としては、例えば、調整軸と支持体との間にバネやゴム等の弾性パーツを圧縮状態で介装し、調整軸を回転させる際に抵抗感が生じるようにした構成が挙げられる。また、上記のようにダイアルを設けた場合には、このダイアルに同様の弾性パーツを内蔵させることができ、さらに、不用意な回転防止とともにダイアルの操作感に節度を付加させることができるクリック機構を設けてもよい。
【００１１】
【発明の実施の形態】
以下、図面を参照して本発明の一実施形態を説明する。
図１および図２の符合１は、一実施形態に係るサーモスタットの作動温度調整機構を備えた窓開き装置である。同装置１は、室温が設定温度に達すると窓Ｗが自動的に開くよう窓枠２に固定されている。窓Ｗは、下端縁がヒンジ３を介して窓枠２に組み付けられており、図２（ａ）に示すように、上端側が回動端となって室外側（図１で紙面裏側、図２で左側）へ傾倒することにより開く。窓Ｗは、付勢部材により開き方向に常に付勢されており、かつ、ストッパ（いずれも図示略）により図２（ａ）に示す開き位置で停止するようになっている。窓Ｗの上端縁の中央であって室内側には、上方に突出するロックピン４が、ブラケット５を介して設けられている。このロックピン４は自身の軸方向に沿って上下動自在であり、かつ図示せぬバネにより常に上方に突出するよう付勢されており、図１および図２（ｂ）に示すように、窓枠２に固定された金具６の透孔にロックピン４が嵌入することにより、窓Ｗの閉状態が保持される、すなわちロックされるようになっている。開いている窓Ｗを閉めていくと、ロックピン４は金具６に当たって押され、透孔に至ると突出して透孔に嵌入し、窓閉めが完了する。
【００１２】
図３および図４は窓開き装置１の外観を示しており、これら図で符合１０は直方体状のケーシング（支持体）、２０はサーモスタット、３０は調整軸、４０は作動温度設定用のダイアル、５０は作動棒である。これら図に示すように、ケーシング１０は、ケーシング本体１１に蓋体１２がねじ止めされて構成されるものである。窓開き装置１は、ケーシング本体１１に形成された左右の固定板１３を窓枠２にねじ止めすることにより窓枠２に固定される。
【００１３】
図５は、ケーシング１０の蓋体１２を外した状態の正面図である。サーモスタット２０は、全体が円筒状に形成されており、室内の温度を感知する感温部２１と、シリンダ部２２と、これらの間のフランジ部２３とを備えている。感温部２１内には、昇温／降温に応じて膨張／収縮する液状の感温物質が封入されている。フランジ部２３は、図６に示すようにケーシング本体１１に形成された凹部１１ａに嵌め込まれ、蓋体１２にも同様に形成された凹部が嵌合してケーシング１０に支持されるようになっている。この支持状態で、サーモスタット２０は、軸方向が水平（ケーシング本体１１の上下の板部１１Ａ，１１Ｂと平行）で、感温部２１がケーシング１０の外部に突出し、シリンダ部２２がケーシング１０の内部に収納される。
【００１４】
シリンダ部２２には、図７（ｂ），（ｃ）に示すように、感温部２１内の感温物質の膨張に応じて図中左方に突出するロッド２４が内蔵されている。また、シリンダ部２２には、有底筒状のスリーブ２５が摺動自在に外装されている。図６に示すように、このスリーブ２５の外周面におけるケーシング本体１１への対向部分には、軸方向に沿って延びる突条２５ａが形成されており、この突条２５ａがケーシング本体１１に形成されたガイド溝１１ｄに嵌合している。これにより、スリーブ２５は軸回りの回転が規制されている。スリーブ２５は、外周面に形成されたフランジ部２５ｂとケーシング本体１１との間にわたって介装された圧縮バネ２６により感温部２１の方向（図５で右方向）に付勢されており、通常はその底部がシリンダ部２２の先端に当接している。また、スリーブ２５の外周面における開口端近傍には、下方に延びる棒状の係合ピン（駆動部材）２７が一体に形成されている。
【００１５】
上記構成からなるサーモスタット２０によれば、図７（ａ）に示すように、通常はロッド２４がシリンダ部２２内に収まっている。そして、室温が上昇し、ある温度に達すると感温部２１内の感温物質が膨張する。この内圧増大によって、図７（ｂ），（ｃ）に示すように、ロッド２４は圧縮バネ２６の付勢力に抗してスリーブ２５を押しながらシリンダ部２２から突出していく。この状態から室温が降下すると、感温部２１の内圧が減少し、圧縮２６バネによりスリーブ２５を介してロッド２４が退行させられ、さらにはシリンダ部２２内に収まる。このように、ロッド２４は室温の昇温／降温に応じて伸縮する。そして、ロッド２４の伸縮と一体的にスリーブ２５および係合ピン２７が移動する。図８は、室温に応じて伸びるロッド２４のストローク量の例を示しており、この場合、３０℃、３５℃、４０℃でそれぞれ図示のようにロッド２４は伸びる。また、図９は昇温に伴うロッド２４の伸び量を示している。
【００１６】
前記調整軸３０は、サーモスタット２０の下方にロッド２４の伸縮方向と平行に配置されている。この調整軸３０は、図４（ｂ）に示すように断面Ｄ字状であり、左右の端部がケーシング本体１１の側板部１１Ｃ，１１Ｄを貫通した状態で、ケーシング本体１１に対し軸回りに回転自在に、かつ軸方向への移動は規制された状態で支持されている。また、図７（ａ）に示すように、同図における調整軸３０の左端部はケーシング本体１１外へ所定長さ突出しており、この突出端には、調整軸３０を回転させるための前記ダイアル４０が取り付けられている。
【００１７】
調整軸３０には、図１０に示す円筒状のカム体６０が同軸的に外装されている。図１０（ａ），（ｃ）に示すように、カム体６０の調整軸３０が挿入される孔６０ａは、調整軸３０が嵌入するＤ字状となっており、これによってカム体６０は調整軸３０に対し相対回転不能かつ軸方向へは摺動可能となっている。カム体６０は軸部６１を有し、この軸部６１の左端部に、左側から小径部６２、大径部６３がそれぞれ軸部６１に対し同軸的に形成されている。そして、小径部６２から大径部６３への移行部６４は、漸次拡径する斜面に形成されている。また、図５に示すように、カム体６０は、調整軸３０の周囲を巻回する状態で小径部６２側の端部とケーシング本体１１との間にわたって介装された圧縮バネ（カム体付勢部材）６５により、図５の右方向に付勢されている。この圧縮バネ６５の付勢力により、通常は軸部６１の右端がケーシング本体１１に当接している。
【００１８】
図１０および図１１に示すように、これら図におけるカム体６０の大径部６３の右側の端面には、カム面６３ａが形成されている。このカム面６３ａは、カム体６０の軸回りに螺旋状に形成された斜面カムであり、この場合、ダイアル４０側から見ると、右回りの周方向に向かうにしたがってなだらかに連続しながら突出している。カム面６３ａは前記係合ピン２７に対向しており、カム体６０が回転することにより、カム面６３ａと係合ピン２７との間隔である調整代（図７（ａ）のＬで示す距離）が変動する。この場合、ダイアル４０側から見てカム体６０が左回りするとカム面６３ａは係合ピン２７に近付き、右回りすると係合ピン２７から遠ざかる。ちなみに図１１はカム面６３ａが係合ピン２７から最も遠ざかった状態を示している。そして、カム面６３ａの周方向の形成範囲すなわち作動有効角度は、図１０（ｃ）に示すように２００゜程度であり、この回転角度で調整代Ｌは最小から最大に変動する。
【００１９】
上記カム体６０は、次のように作動する。室温が上昇してサーモスタット２０のロッド２４が伸び、これに伴ってスリーブ２５がロッド２４の伸びる方向に移動すると、係合ピン２７が調整代Ｌを経てカム面６３ａに当接する。ここからさらに昇温してロッド２４が伸びると、カム体６０は係合ピン２７に押され、圧縮バネ６５に抗し調整軸３０に沿ってロッド２４と同方向に移動する。室温が降下すると、サーモスタットのロッド２４が縮小するに伴い係合ピン２７は退行し、調整代Ｌを隔てて元の位置に戻る。カム体６０は圧縮バネ６５に押されロッド２４に追従して退行し、元の位置に戻る。
【００２０】
図１２は、前記ダイアル４０の取付構造を示している。同図で符合４１は環状のバネ座であり、このバネ座４１は、その孔に調整軸３０を通した状態でケーシング本体１１の側壁部１１Ｃに嵌め込まれている。ダイアル４０の内側には複数の凹所４２が形成され、この凹所４２にバネ４３と摩擦片４４を挿入してから、ダイアル４０の周縁の弾性片４０ａをバネ座４１に係合させることにより、ダイアル４０はバネ座４１に対して回転自在に装着される。ダイアル４０は、調整軸３０の端部にねじ４５で固定される。バネ４３は圧縮状態となり、摩擦片４４をバネ座４１に対して常に押圧している。これによってダイアル４０を回転させる際にはバネ４３の弾発力に応じた抵抗感が生じ、ダイアル４０、ひいては調整軸３０およびカム体６０の不用意な回転が防止される。
【００２１】
前記作動棒５０は、図５に示すように、カム体６０の下方に配置されている。この作動棒５０は、ケーシング本体１１の下板部１１Ｂおよび下板部１１Ｂに連続して形成された仕切り枠１１Ｅに、調整軸３０と直交する方向に移動自在に貫通されている。作動棒５０には、仕切り枠１１Ｅ内に存するフランジ部５１が形成されており、このフランジ部５１と下板部１１Ｂとの間には、圧縮バネ５２が介装されている。この圧縮バネ５２により作動棒５０は上方に付勢され、その上端が常にカム体６０の外周面に当接するようになっている。作動棒５０は、通常図５に示すように、カム体６０の小径部６２に当接している。そして、サーモスタット２０のロッド２４の伸張に伴いカム体６０が移動すると、カム体６０は移行部６４を経て大径部６３が作動棒５０に摺接していく。この動作により、図７（ｃ）に示すように、大径部６３は圧縮バネ５２に抗して作動棒５０を下方に押し、作動棒５０を進出させる。カム体６０が元の位置まで退行していくと、作動棒５０は圧縮バネ５２に付勢されて退行し、小径部６２に当接する元の位置に戻る。このように、作動棒５０はカム体６０の往復動に伴って進退２位置を往復するよう作動する。本実施形態では、作動棒５０が大径部６３に当接して進出した時点での温度が、サーモスタット２０の作動温度となる。
【００２２】
この作動温度は、ダイアル４０により調整軸３０を介してカム体６０を回転させ調整代Ｌの距離を変えることにより調整される。図４に示すように、ケーシング本体１１の側板部１１Ｃにおけるダイアル４０の周囲には温度目盛り４６が付されており、この温度目盛り４６の表示温度にダイアル４０の指針４０ｂを合わせることにより、作動温度が設定される。温度目盛り４６は、温度によって移動する係合ピン２７の位置と、カム体６０の回転角度に伴う調整代Ｌの変動距離との関係から予め把握したデータに基づき定められる。
【００２３】
上記のように、窓開き装置１に備えられた本実施形態のサーモスタットの作動温度調整機構は、ダイアル４０によって回転操作される調整軸３０と、サーモスタット２０のロッド２４の伸縮に伴って進退する係合ピン２７と、この係合ピン２７により調整軸３０に沿って移動させられるカム体６０と、このカム体６０の移動により進退させられる作動棒５０とを主体として構成されている。そして、窓開き装置１は、図１および図２に示すように、作動棒５０が進出すると金具６の透孔に嵌入しロックピン４を押して透孔から抜けるように、窓枠２に固定される。
【００２４】
次に、窓開き装置１の作用を説明する。
まず、図７（ａ）に示すように、係合ピン２７とカム体６０のカム面６３ａとが調整代Ｌを隔てて離間した状態が通常の状態である。この通常状態から、室温が上昇してサーモスタット２０のロッド２４が伸びると、図７（ｂ）に示すようにスリーブ２５が押され、係合ピン２７が調整代Ｌを経てカム面６３ａに当接する。ここからさらに昇温してロッド２４が伸びると、図７（ｃ）に示すように、カム体６０は係合ピン２７に押され調整軸３０に沿ってロッド２４の伸張方向に移動する。このようにカム体６０が移動する間にカム体６０は移行部６４を経て大径部６３が作動棒５０に摺接していき、図７（ｃ）に示すように、大径部６３が圧縮バネ５２に抗して作動棒５０を下方に押し、作動棒５０を進出させる。作動棒５０が進出すると、図２（ａ）に示すように、金具６の透孔に作動棒５０が嵌入してロックピン４を押す。これによりロックピン４は金具６から外れ、開き方向に付勢されている窓Ｗが開く。
【００２５】
次に、室温が降下すると、サーモスタット２０のロッド２４が縮小するに伴い係合ピン２７は退行し、調整代Ｌを隔てて元の位置に戻る。カム体６０は圧縮バネ６５に押されロッド２４に追従して退行し、これに伴って作動棒５０は圧縮バネ５２に付勢されて退行し、小径部６２に当接する元の位置に戻る。このように作動棒５０が通常位置に戻った状態で、窓Ｗを手動により閉めることができる。
【００２６】
上記サーモスタット２０の作動温度の調整は、ダイアル４０を回転させることにより調整軸３０を介してカム体６０を回転させ、調整代Ｌの距離を変えることによりなされる。この場合、ダイアル４０を左回りさせると調整代Ｌは短くなるので係合ピン２７がカム面６３ａに早く当接することになり、比較的低温で作動棒５０は進出する。また、ダイアル４０を右回りさせると調整代Ｌは長くなるので比較的高温の段階で作動棒５０は進出する。前述したように、ダイアル４０の指針４０ｂを温度目盛り４６の温度に合わせることにより、作動棒５０の進出温度すなわちサーモスタット２０作動温度を設定することができる。
【００２７】
本実施形態に係るサーモスタットの作動温度調整機構によれば、調整代Ｌの距離を変えるカム面６３ａの作動有効角度は２００゜程度であり、この回転角度で調整代Ｌは最小から最大に変動する。すなわち、ダイアル４０を１回転させる範囲内で作動温度を全域にわたって調整することができる。したがって、サーモスタット２０の作動温度の設定を簡便に行うことができるとともに、作動温度を高精度で設定することができる。また、カム体６０の小径部６２から大径部６３への移行部６４が、急激に径が変わる段差ではなく斜面に形成されているので、その移行部６４を作動棒５０が摺接することによってカム体６０の移動に伴う作動棒５０の往復動作がスムーズになされる。また、作動棒５０は、主にカム体６０の小径部６２と大径部６３に応じた進退２位置を往復し、各位置にあっては、移動せず一定の位置に保持されるので、設定温度に達してからさらに昇温してカム体６０が移動しても、作動棒５０はそのままの位置にある。したがって、作動棒５０に不必要な負荷がかかって破損したり変形したりするといった不具合は生じない。
【００２８】
図１３は、上記カム体６０に代えて、カム面の形状を変更したカム体７０が組み込まれた他の実施形態に係る窓開き装置１Ｂを示している。この実施形態のカム面は、図１４および図１５に示すように、係合ピン２７に遠い側から順にカム面７１ａ，７１ｂ，７１ｃが３段の階段状に形成されている。これにより、係合ピン２７との間隔である調整代はダイアル４０Ｂの回転に応じて３段階に調節され、したがって、作動温度は３種類に限定される。一方、ダイアル４０Ｂには、図１６に示すように、圧縮バネ４３Ｂによって常にバネ座４１Ｂに当接するよう付勢されたクリックボール７２が組み込まれている。一方、バネ座４１Ｂには、３段階のカム面７１ａ，７１ｂ，７１ｃに対応する３つ（図１６では１つしか見ないが）の凹部７３が形成されている。
【００２９】
この実施形態によれば、ダイアル４０の回転方向で最も右側に位置する凹部７３にクリックボール７２が落ち込んでいる状態では、図１３に示すように、係合ピン２７から最も離れるカム面７１ａが係合ピン２７に対向する。この状態からダイアル４０Ｂを左回転させると、クリックボール７２は次の凹部７３に落ち込みカム面７１ｂが係合ピン２７に対向し、さらにダイアル４０Ｂを左回転させると、クリックボール７２はその次の凹部７３に落ち込みカム面７１ｃが係合ピン２７に対向する。このようにしてカム体７０と係合ピン２７との間隔である調整代は３段階に調節され、例えば、３０℃、３５℃、４０℃の３段階に設定温度を切り換えることができる。本実施形態のダイアル４０Ｂの取付構造によれば、ダイアル４０Ｂを３段階のいずれかに位置決めする節度を付加することができるとともに、ダイアル４０Ｂの不用意な回転が防止される。さらに、クリックボール７２によるクリック音や感触が、操作する者に心地よい操作感を与える。
【００３０】
なお、本発明は上記実施形態に限定されるものではなく、様々な形態を採ることができる。例えば、サーモスタット２０に組み込まれた圧縮バネ２６を省略し、カム体６０を退行させる圧縮バネ６５により、カム体６０を介してスリーブ２５および係合ピン２７を退行させるようにしてもよい。また、圧縮バネ６５に代えて、同様の作用をなす圧縮バネをカム体６０に内蔵させることもできる。
【００３１】
【発明の効果】
以上説明したように、本発明は、カム体が多くとも１回転する間にサーモスタットの作動温度の調整代が最小から最大に可変されることを特徴とするので、サーモスタットの作動温度を、簡便に、かつ高精度で設定することができる。
【図面の簡単な説明】
【図１】  本発明の一実施形態に係るサーモスタットの作動温度調整機構を備えた窓開き装置の設置例を示す正面図である。
【図２】  同側面図であって、（ａ）はサーモスタットの作動温度調整機構が作動して窓が開いた状態、（ｂ）は窓が閉まっている状態である。
【図３】  本発明の一実施形態に係るサーモスタットの作動温度調整機構を備えた窓開き装置の外観を示す正面図である。
【図４】  同窓開き装置の（ａ）左側面図、（ｂ）右側面図である。
【図５】  同窓開き装置の内部であって本発明の一実施形態に係るサーモスタットの作動温度調整機構を示す正面図である。
【図６】  図５のVI−VI線矢視図である。
【図７】  本発明の一実施形態に係るサーモスタットの作動温度調整機構の動作を（ａ），（ｂ），（ｃ）の順に示す正面断面図である。
【図８】  本発明の一実施形態に係るサーモスタットのロッドが伸びていく状態を（ａ），（ｂ），（ｃ）の順に示す正面図である。
【図９】  昇温に伴うロッドの伸び量を示す線図である。
【図１０】本発明の一実施形態に係るカム体の（ａ）左側端面図、（ｂ）側面図、（ｃ）右側端面図である。
【図１１】同カム体が図１０（ｂ）の状態から右回転した状態を示す側面図である。
【図１２】本発明の一実施形態に係るダイアルの取付構造を示す側断面図である。
【図１３】本発明の他の実施形態に係るサーモスタットの作動温度調整機構を備えた窓開き装置の内部を示す正面図である。
【図１４】本発明の他の実施形態に係るカム体の（ａ）左側端面図、（ｂ）側面図、（ｃ）右側端面図である。
【図１５】同カム体が図１４（ｂ）の状態から右回転した状態を示す側面図である。
【図１６】本発明の他の実施形態に係るダイアルの取付構造を示す側断面図である。
【符号の説明】
１０…ケーシング（支持体）、２０…サーモスタット、２４…ロッド、
２７…係合ピン（駆動部材）、３０…調整軸、６０…カム体、６２…小径部、
６３…大径部、６３ａ…カム面、６４…移行部、
６５…圧縮バネ（カム体付勢部材）、Ｌ…調整代。
【図１】
0003988850.tif 000002
【図２】
0003988850.tif 000003
【図３】
0003988850.tif 000004
【図４】
0003988850.tif 000005
【図５】
0003988850.tif 000006
【図６】
0003988850.tif 000007
【図７】
0003988850.tif 000008
【図８】
0003988850.tif 000009
【図９】
0003988850.tif 000010
【図１０】
0003988850.tif 000011
【図１１】
0003988850.tif 000012
【図１２】
0003988850.tif 000013
【図１３】
0003988850.tif 000014
【図１４】
0003988850.tif 000015
【図１５】
0003988850.tif 000016
【図１６】
0003988850.tif 000017